(57)【要約】【課題】使用者の身体に合わせて裾長を調節した状態においても、裾長調節前の状態と同じ続一性のとれた風合いを維持することができる構成の裾に下部ステッチ部を有するズボンを提供することを課題とする。【解決手段】ズボン本体１０の裾長Ｈ１と裾端部材２０の下端部折曲線２３から地縫線２１までの長さＨ２とを加えると、目標裾長Ｈとなるように地縫線１１，２１を設定する。地縫線２１は下部ステッチ部３の若干上側に設定する。ズボン本体１０に縫代部１２が形成され、裾端部材２０に縫代部２２が形成されるように切断線Ｃ１，Ｃ２で切断する。縫代部１２と縫代部２２とが中表状態になるようにして地縫線１１，２１に沿って縫い付けてズボンを完成させる。【選択図】  図２
2007154387.tif 000002
【特許請求の範囲】
【請求項１】
ズボンの裾の下端部付近に、その全周に亘って形成されている下部ステッチ部を有する
ズボンにおいて、
前記ズボンは、前記下部ステッチ部を含む左右の裾端部材とズボン本体との３体によっ
て構成され、
前記裾端部材は、前記ズボンの裾の下端部を形成する下端部折曲線を介して連設されて
いる表側部材と裏側部材とによって構成され、
前記表側部材の前記下部ステッチ部の若干上側に当該下部ステッチ部と略平行に設定さ
れた地縫線より上側の縫代部と、前記ズボン本体の下端部付近にその全周に亘って設定さ
れた地縫線より下側の縫代部とが中表になった状態で、前記ズボン本体の前記地縫線と前
記表側部材の前記地縫線とに沿って前記ズボン本体と前記表側部材とが地縫糸によって縫
い付けられ、
前記裾端部材の前記表側部材と前記裏側部材とが前記下端部折曲線で折り曲げられた状
態で、前記下部ステッチ部を構成する糸によって縫い付けられていることを特徴とする下
部ステッチ部を有するズボン。
【請求項２】
ズボンの裾（２）の側部に側部ステッチ部（４）と側部地縫部（５）とを有し、裾（２
）の下端部付近に、その全周に亘って形成されている下部ステッチ部（３）を有するズボ
ン（１）の裾長を調節して完成品とする下部ステッチ部を有するズボンの製造方法におい
て、
前記下部ステッチ部（３）の若干上側に当該下部ステッチ部（３）と略平行に第１の地
縫線（２１）を設定し、当該第１の地縫線（２１）の上側に幅Ｗ２の縫代部（２２）が形
成されるように当該縫代部（２２）の上端で切断して裾端部材（２０）を形成する第１の
工程と、
切り離されたズボン本体（１０）の第２の地縫線（１１）までの裾長Ｈ１を、前記裾端
部材（２０）の下端部を形成する下端部折曲線（２３）から前記第１の地縫線（２１）ま
での裾端部長Ｈ２と目標とする裾長Ｈとから算出し、算出された本体裾長Ｈ１に縫代部（
１２）の幅Ｗ１を加えた位置でズボン本体（１０）を切断する第２の工程と、
前記裾端部材（２０）に含まれる前記側部地縫部（５）を形成する地縫糸と前記下部ス
テッチ部（３）を形成する糸とを全て解き、前記ズボン本体（１０）の下端部付近の前記
側部地縫部（５）を形成する地縫糸を解く第３の工程と、
前記ズボン本体（１０）の前記縫代部（１２）と、前記裾端部材（２０）の前記縫代部
（２２）とを中表状態にした上、前記第１の地縫線（２１）および前記第２の地縫線（１
１）に沿って地縫糸で縫い付ける第４の工程と、
前記裾端部材（２０）の前記下端部折曲線（２３）より下側に位置する裏側部材（２０
Ｂ）を前記下端部折曲線（２３）に沿って内側に折り曲げ、当該裏側部材（２０Ｂ）と表
側に位置する表側部材（２０Ａ）とを下部ステッチ部（３）を形成する糸によって縫い付
ける第５の工程と、
前記ズボン本体（１０）の下端部付近の前記側部地縫部（５）の地縫糸が解かれている
部分と、これに連設されている前記裾端部材（２０）の前記側部地縫部（５）を形成する
部分とを地縫糸で再度縫い付けて前記側部地縫部（５）を修復する第６の工程とを有する
ことを特徴とする下部ステッチ部を有するズボンの製造方法。
【発明の詳細な説明】
【技術分野】
【０００１】
本発明は、ジーンズのズボン等のように裾の下端部付近に装飾性のある下部ステッチ部
を有するズボンおよびその製造方法に関するものである。
【背景技術】
【０００２】
図１１は、従来から店頭に展示されているジーンズのズボンの構成を示した構成図であ
る。
【０００３】
このようなジーンズのズボン１の裾２には、通常、ズボン１の生地の色とは異なった色
の糸によって形成されるステッチ部が設けられており、このステッチ部がジーンズのズボ
ン１の装飾性を高めるものとなっている。図１１に示したジーンズのズボン１の裾２には
、その下端部付近に全周に亘る下部ステッチ部３が設けられており、また、その内股側に
は側部ステッチ部４が設けられている。
【０００４】
この側部ステッチ部４は、図１１に表されている前側の生地と図１１の裏面側に位置す
る後側の生地とを縫い付ける糸によって形成されている。また裾２の外側には、前側の生
地と後側の生地とを中表状態にして地縫いしてある側部地縫部５が形成されている。
【０００５】
下部ステッチ部３は、裾２を構成する生地の端部を内側に折り返した状態で縫い付ける
糸によって形成されている。
【０００６】
以上のように構成されたジーンズのズボン１は、その購入を希望する使用者の身体に合
わせて裾長を調節した状態にして使用者に販売されている。
【０００７】
このような裾長の調節は以下のようにして行われる。先ず、図１２に示すように、目標
とする裾長Ｈに、内側に折り曲げる折曲部６の幅Ｒを加えた長さの位置で裾２を切断する
。
【０００８】
次に、折曲部６を内側に折り曲げて、この折り曲げた折曲部６を図１３に示す下部ステ
ッチ部３を形成する糸を用いて全周に亘って縫い付けて裾長の調節を終了する。この図１
３は、左側の裾２の裾長のみを調節した状態を示したものであり、右側の裾２の裾長の調
節も同様にして行なわれる。
【発明の開示】
【発明が解決しようとする課題】
【０００９】
このようなジーンズのズボン１においては、その装飾性をより高めるために、使い古し
たような風合いに加工する所謂「中古加工」が施されているものがある。ここで、「中古
加工」が施されているジーンズのズボン１の裾長の調節を、先に説明した従来の方法で行
なった場合には以下のような問題が生じる。
【００１０】
即ち、「中古加工」が施されたジーンズのズボン１の場合、図１１に示した展示状態で
は、下部ステッチ部３付近のような端部においてその色落ちが顕著に表れている。しかし
ながら、従来の裾長調節の方法では、あまり色落ちしていない生地の部分によって裾の端
分が新たに形成されることになるために、図１４に示したように使用者がこのようなジー
ンズのズボン１を着用したときには、下部ステッチ部３付近の部分の風合いが他の部分の
風合いと異なってしまいファッションの続一性が損なわれるという問題が生じてしまう。
【課題を解決するための手段】
【００１１】
以上の問題を解決するために本発明に係る下部ステッチを有するズボンは、ズボンの裾
の下端部付近に、その全周に亘って形成されている下部ステッチ部を有するズボンにおい
て、前記ズボンは、前記下部ステッチ部を含む左右の裾端部材とズボン本体との３体によ
って構成され、前記裾端部材は、前記ズボンの裾の下端部を形成する下端部折曲線を介し
て連設されている表側部材と裏側部材とによって構成され、前記表側部材の前記下部ステ
ッチ部の若干上側に当該下部ステッチ部と略平行に設定された地縫線より上側の縫代部と
、前記ズボン本体の下端部付近にその全周に亘って設定された地縫線より下側の縫代部と
が中表になった状態で、前記ズボン本体の前記地縫線と前記表側部材の前記地縫線とに沿
って前記ズボン本体と前記表側部材とが地縫糸によって縫い付けられ、前記裾端部材の前
記表側部材と前記裏側部材とが前記下端部折曲線で折り曲げられた状態で、前記下部ステ
ッチ部を構成する糸によって縫い付けられていることを特徴とするものである。
【００１２】
また、以上の問題を解決するために本発明に係る下部ステッチを有するズボンの製造方
法は、ズボンの裾（２）の側部に側部ステッチ部（４）と側部地縫部（５）とを有し、裾
（２）の下端部付近に、その全周に亘って形成されている下部ステッチ部（３）を有する
ズボン（１）の裾長を調節して完成品とする下部ステッチ部を有するズボンの製造方法に
おいて、前記下部ステッチ部（３）の若干上側に当該下部ステッチ部（３）と略平行に第
１の地縫線（２１）を設定し、当該第１の地縫線（２１）の上側に幅Ｗ２の縫代部（２２
）が形成されるように当該縫代部（２２）の上端で切断して裾端部材（２０）を形成する
第１の工程と、切り離されたズボン本体（１０）の第２の地縫線（１１）までの裾長Ｈ１
を、前記裾端部材（２０）の下端部を形成する下端部折曲線（２３）から前記第１の地縫
線（２１）までの裾端部長Ｈ２と目標とする裾長Ｈとから算出し、算出された本体裾長Ｈ
１に縫代部（１２）の幅Ｗ１を加えた位置でズボン本体（１０）を切断する第２の工程と
、前記裾端部材（２０）に含まれる前記側部地縫部（５）を形成する地縫糸と前記下部ス
テッチ部（３）を形成する糸とを全て解き、前記ズボン本体（１０）の下端部付近の前記
側部地縫部（５）を形成する地縫糸を解く第３の工程と、前記ズボン本体（１０）の前記
縫代部（１２）と、前記裾端部材（２０）の前記縫代部（２２）とを中表状態にした上、
前記第１の地縫線（２１）および前記第２の地縫線（１１）に沿って地縫糸で縫い付ける
第４の工程と、前記裾端部材（２０）の前記下端部折曲線（２３）より下側に位置する裏
側部材（２０Ｂ）を前記下端部折曲線（２３）に沿って内側に折り曲げ、当該裏側部材（
２０Ｂ）と表側に位置する表側部材（２０Ａ）とを下部ステッチ部（３）を形成する糸に
よって縫い付ける第５の工程と、前記ズボン本体（１０）の下端部付近の前記側部地縫部
（５）の地縫糸が解かれている部分と、これに連設されている前記裾端部材（２０）の前
記側部地縫部（５）を形成する部分とを地縫糸で再度縫い付けて前記側部地縫部（５）を
修復する第６の工程とを有することを特徴とするものである。
【発明の効果】
【００１３】
本発明によれば、使用者の身体に合わせて裾長を調節した状態においても、裾長調節前
の状態と同じ続一性のとれた風合いを維持することができる構成の裾に下部ステッチ部を
有するズボンを提供することができる。
【発明を実施するための最良の形態】
【００１４】
以下、図面を用いて本発明の実施例について説明する。
【実施例１】
【００１５】
図１は、本発明の実施例１の構成を示した構成図である。図１に示すジーンズのズボン
１の左側の裾２は、使用者の身体に合わせて目標となる裾長Ｈになるように調節が終了し
た状態となっており、右側の裾２は、裾長が末調節な店頭展示状態となっている。
【００１６】
本実施例１に係るジーンズのズボン１は、下記ステッチ部３を含む左右の裾２の端部を
構成する２つの裾端部材２０とズボン本体１０との３体によって構成されている。また、
このジーンズのズボン１の裾２には、従来と同様に側部ステッチ部４と側部地縫部５とが
形成されている。
【００１７】
以下、店頭に展示されている裾長が末調節な状態から裾長を調節した完成状態に至る本
実施例１の制作工程について図を用いて説明する。
【００１８】
先ず、図１の右側の裾２に示した２つの切断線Ｃ１，Ｃ２で裾２を切断してズボン本体
１０と裾端部材２０とを分離した状態にする。
【００１９】
この切断線Ｃ１，Ｃ２の位置の決定方法を裾２の端部付近を拡大して示した図２を用い
て説明する。
【００２０】
初めに、分離されたズボン本体１０と裾端部材２０とを再度縫い付けるときに使用する
地縫線の位置を定める。
【００２１】
裾端部材２０側の地縫線２１は、下部ステッチ部３から若干上方（本実施例１において
は２ｍｍ〜３ｍｍ）の位置に下部ステッチ部３と略平行になるように設定する。この地縫
線２１と、裾端部材２０の下端部を形成する下端部折曲線２３との距離を裾端部長Ｈ２と
する。
【００２２】
ズボン本体１０側の地縫線１１は、この地縫線１１までのズボン本体１０の裾長Ｈ１（
以下、「本体裾長Ｈ１」という）と裾端部長Ｈ２との和が、図１に示した目標裾長Ｈとな
るような位置に設定する。
【００２３】
ズボン本体１０側の切断線Ｃ１は、本体裾長Ｈ１に、地縫線１１の下側に位置する縫代
部１２の幅Ｗ１を加えた位置に設定し、裾端部材２０側の切断線Ｃ２は、裾端部長Ｈ２に
、地縫線２１の上側に位置する縫代部２２の幅Ｗ２を加えた位置に設定する。
【００２４】
ここで、縫代部１２の幅Ｗ１や縫代部２２の幅Ｗ２は、特に限定される値ではなく、仕
上がり状態や作業効率等により適宜設定されるものであり、また、後述する工程において
その作業の必要上からその都度減少させることも可能である。
【００２５】
以上のように設定された切断線Ｃ１，Ｃ２によって分離された状態となっているズボン
本体１０と、裾端部材２０とを図３に示す。
【００２６】
図３に示したように、裾端部材２０は、下端部折曲線２３を介して連設されている表側
部材２０Ａと裏側部材２０Ｂとによって構成されており、この両者は下部ステッチ部３を
形成する糸によって縫い付けられている。ここで、４は側部ステッチ部であり、５は側部
地縫部である。
【００２７】
図３に示した状態において、裾端部材２０の下部ステッチ部３を形成している糸を解き
、側部地縫部５を形成している地縫糸を解いて、裾端部材２０を、図４に示したように広
げた状態にする。この際、ズボン本体１０の側部地縫部５を形成している地縫糸も、後の
作業が行ないやすいように適当な長さだけ解いておく。
【００２８】
次に、図５に示したように、裾端部材２０の裏側部材２０Ｂの端部にオーバーロックを
施して、表側部材２０Ａの縫代部２２を地縫線５に沿って内側に折り曲げる。また、ズボ
ン本体１０の縫代部１２を地縫線１１に沿って折り曲げる。
【００２９】
このように縫代部１２と縫代部２２とを中表状態にしておき、図６に示すように、ズボ
ン本体１０と裾端部材２０とを地縫線１１，２１に沿って地縫糸を用いて縫い付ける。こ
のとき、図４に示す裾端部材２０の側部ステッチ部４と、ズボン本体１０の側部ステッチ
部４との位置を合わせて、この側部ステッチ部４を始点として左右方向に半周分づつ地縫
糸によって縫い付けることとすれば、上下方向で裾の幅が異なるスリムタイプのズボンや
ベルボトムタイプのズボンにおいても、側部ステッチ部４の位置をずらすことなくズボン
本体１０と裾端部材２０との縫い付けを行なうことができる。
【００３０】
次に、図７に示したように、下端部折曲線２３に沿って裏側部材２０Ｂを内側に折り曲
げて、この裏側部材２０Ｂと表側部材２０Ａとを下部ステッチ部３を形成する糸によって
縫い付け、図８に示した状態にする。
【００３１】
最後に、側部地縫部５を地縫糸によって元の状態に縫い付けて修復し、図９に示した状
態にして裾長の調節作業を終了する。
【００３２】
ここで、以上説明した実施例においては、図８に示したように下部ステッチ部３を形成
した後に、図９に示したように側部地縫部５を修復する手順となっているが、この手順は
、側部地縫部５を修復した後に下部ステッチ部３を形成する手順としてもよい。
【００３３】
さらに、図１０（ａ）〜（ｃ）に示したように、ジーンズのズボン１の内側に位置する
表側部材２０Ａの縫代部２２や裏側部材２０Ｂは、どのように折り曲げられていても本発
明の効果に影響はない。
【図面の簡単な説明】
【００３４】
【図１】本発明の実施例１に係るズボンの構成を示した構成図である。
【図２】図１に示したズボンの製造方法の説明図である。
【図３】図１に示したズボンの製造方法の説明図である。
【図４】図１に示したズボンの製造方法の説明図である。
【図５】図１に示したズボンの製造方法の説明図である。
【図６】図１に示したズボンの製造方法の説明図である。
【図７】図１に示したズボンの製造方法の説明図である。
【図８】図１に示したズボンの製造方法の説明図である。
【図９】図１に示したズボンの製造方法の説明図である。
【図１０】図１に示したズボンの構成の説明図である。
【図１１】従来のズボンの構成を示す構成図である。
【図１２】従来のズボンの裾長の調整方法の説明図である。
【図１３】従来のズボンの裾長の調整方法の説明図である。
【図１４】従来のズボンの説明図である。
【符号の説明】
【００３５】
１  ズボン
２  裾
３  下部ステッチ部
４  側部ステッチ部
５  側部地縫部
６  折曲部
１０  ズボン本体
１１，２１  地縫線
１２，２２  縫代部
２０  裾端部材
２０Ａ  表側部材
２０Ｂ  裏側部材
２３  下端部折曲線
Ｃ１，Ｃ２  切断線
Ｈ  目標裾長
Ｈ１  本体裾長
Ｈ２  裾端部長
Ｗ１，Ｗ２  幅
【図１】
2007154387.tif 000003
【図２】
2007154387.tif 000004
【図３】
2007154387.tif 000005
【図４】
2007154387.tif 000006
【図５】
2007154387.tif 000007
【図６】
2007154387.tif 000008
【図７】
2007154387.tif 000009
【図８】
2007154387.tif 000010
【図９】
2007154387.tif 000011
【図１０】
2007154387.tif 000012
【図１１】
2007154387.tif 000013
【図１２】
2007154387.tif 000014
【図１３】
2007154387.tif 000015
【図１４】
2007154387.tif 000016